(57)【特許請求の範囲】
【請求項１】
屋根下地材の上に太陽電池パネルを取り付ける太陽電池パネル取付具であって、前記屋根下地材に取り付けられる立上り部と、この立上り部の屋根傾斜方向側に設けられ前記太陽電池パネルを上面から前記屋根下地材に向かって弾性付勢する遊端部とが一体形成され、これらの立上り部および遊端部は足場として利用できる幅および強度を有し、かつ、屋根傾斜方向に交差する方向に延びて配置されたことを特徴とする太陽電池パネル取付具。
【請求項２】
請求項１に記載した太陽電池パネル取付具において、前記立上り部および遊端部は、前記太陽電池パネルを複数並べて取り付けられるように長尺状に形成され、かつ、前記遊端部の前記太陽電池パネルの幅寸法に対応する位置に切り欠きが形成されていることを特徴とする太陽電池パネル取付具。
【請求項３】
請求項１または２に記載した太陽電池パネル取付具で太陽電池パネルを屋根下地材に取り付けて構成されることを特徴とする屋根構造体。
【請求項４】
請求項３に記載した屋根構造体において、前記太陽電池パネル取付具は屋根傾斜方向と交差する方向に複数列配置され、屋根棟側の太陽電池パネル取付具の遊端部で前記太陽電池パネルの屋根棟側が支持され、屋根軒先側の太陽電池パネル取付具の立上り部で前記太陽電池パネルの屋根軒先側が支持されることを特徴とする屋根構造体。
【請求項５】
請求項４に記載した屋根構造体において、前記屋根棟側の太陽電池パネル取付具の立上り部と前記太陽電池パネルとの間には、前記太陽電池パネルの抜け止めをするための抜け止め部材が設けられていることを特徴とする屋根構造体。
【請求項６】
請求項５に記載した屋根構造体において、前記抜け止め部材は、屋根傾斜方向に交差する方向に延びて配置される棒状部材であることを特徴とする屋根構造体。
【請求項７】
請求項３から６のいずれかに記載した屋根構造体において、前記太陽電池パネルは、少なくともいずれか一方が透光性を有する第一の基板および第二の基板と、これらの第一の基板および第二の基板の対向面のうちいずれか一方に設けられた薄膜太陽電池層とを有することを特徴とする屋根構造体。
【発明の詳細な説明】
【０００１】
【発明の属する技術分野】
本発明は、太陽電池パネルを取り付けるための太陽電池パネル取付具およびこの太陽電池パネル取付具で太陽電池パネルを屋根下地材に取り付けて構成される屋根構造体に関する。
【０００２】
【背景技術】
従来より、建物の屋根等には、太陽エネルギーを電気として有効利用するために太陽電池が設けられることがある。
このような太陽電池を備えた屋根として、本出願人は、所定数のソーラーセルが収められた防水ケース周縁に縦枠および横枠を取り付けた太陽電池パネルを用い、屋根の傾斜に沿って固定されたレール状の支持部材に太陽電池パネルの縦枠をねじで支持させる屋根構造体を提案した（特開平7-180310号公報）。
【０００３】
また、本出願人は、表面に太陽電池が設けられたルーフィングを屋根下地材に張り、このルーフィング上に屋根傾斜方向に並べて設けたレール状の支持具にガラス板を一部重なるように配列して、その重ねられた部分でボルトおよびキャップによりガラス板を支持具に固定する屋根構造体を提案した（特願平7-178764号）。
【０００４】
【発明が解決しようとする課題】
しかし、特開平7-180310号公報で示される従来例では、太陽電池パネル自体の構造が複雑なため、製造コストがかかるうえに、太陽電池パネルをねじで支持部材に固定するため、施工に手間がかかるという問題があった。
また、特願平7-178764号で示される従来例では、ルーフィング上に支持具を設置しなければならないうえに、ガラス板を一部重なるように位置決めして配置しなければならず、施工が面倒であった。
【０００５】
特に、ガラス板を用いた屋根構造体では、ガラス板をボルトなどで支持具に固定しなければならず、施工に手間がかかるという問題があった。
さらに、特願平7-178764号で示される従来例では、ガラス板を支持具に取り付ける際に、屋根傾斜方向に延びて配置されたレール状の支持具が足場として利用されるが、屋根傾斜方向と交差する方向には足場になるものがないため、取付作業が慎重にならざるを得ず、この点からも施工作業が煩雑であるという問題があった。
【０００６】
本発明の目的は太陽電池パネルを容易に屋根下地材に取り付けることができる太陽電池パネル取付具および屋根構造体を提供することにある。
【０００７】
【課題を解決するための手段】
そのため、本発明は、屋根下地材に取り付けられる立上り部と、太陽電池パネルを上面から屋根下地材に向かって弾性付勢する遊端部とを一体形成して前記目的を達成しようとするものである。
具体的には、本発明の太陽電池パネル取付具は、図面を参照して説明すると、屋根下地材３の上に太陽電池パネル２を取り付ける太陽電池パネル取付具１１，２１であって、前記屋根下地材３に取り付けられる立上り部１５,２５と、この立上り部１５，２５の屋根傾斜方向側に設けられ前記太陽電池パネル２を上面から前記屋根下地材３に向かって弾性付勢する遊端部１６とが一体形成され、これらの立上り部１５，２５および遊端部１６は足場として利用できる幅および強度を有し、かつ、屋根傾斜方向に交差する方向に延びて配置されたことを特徴とする。
また、本発明の屋根構造体１０，２０は、前記太陽電池パネル取付具１１，２１で太陽電池パネル２を屋根下地材３に取り付けて構成されることを特徴とする。
【０００８】
本発明では、ステンレス（ＳＵＳ）などの弾性を有する材料から太陽電池パネル取付具１１，２１を製造し、この太陽電池パネル取付具１１，２１を屋根傾斜方向に交差する方向に配置し、その立上り部１５，２５を屋根下地材３の所定位置に取り付けておく。
その後、太陽電池パネル取付具１１，２１の遊端部１６と屋根下地材３との間で太陽電池パネル２を挟持する。太陽電池パネル２はボルトなどを使用することなく、屋根下地材３に取り付けられる。
【０００９】
この状態では、遊端部１６の弾性力によって太陽電池パネル２が屋根下地材側に向けて押圧されているので、太陽電池パネル２が太陽電池パネル取付具１１，２１から外れることがない。
太陽電池パネル２を取り付ける作業に際して、太陽電池パネル取付具１１，２１は足場として利用されるが、この取付具１１，２１が屋根傾斜方向に交差する方向に配置されているため、作業員の転落事故を確実に防止できる。
このように、本発明では、太陽電池パネル２の取付作業を容易に行うことができる。
【００１０】
ここで、本発明では、太陽電池パネル取付具１１，２１の立上り部１５，２５および遊端部１６は、前記太陽電池パネル２を複数並べて取り付けられるように長尺状に形成され、かつ、前記遊端部１６の前記太陽電池パネル２の幅寸法に対応する位置に切り欠き１６Ａが形成されている構造でもよい。
この構造では、１個の太陽電池パネル取付具１１，２１で複数個の太陽電池パネル２を同時に支持固定できる。
【００１１】
さらに、遊端部１６の所定位置に切り欠き１６Ａが形成されているため、１個の太陽電池パネル２を遊端部１６で支持した後、この太陽電池パネル２の隣に別の太陽電池パネル２を取り付ける場合でも、既に太陽電池パネル２を支持している遊端部１６が動くことがないので、太陽電池パネル２の取付作業を向上させることができる。
【００１２】
また、本発明では、前記太陽電池パネル取付具１１，２１は、屋根傾斜方向と交差する方向に沿って複数列配置され、屋根棟側の太陽電池パネル取付具１１，２１の遊端部１６で前記太陽電池パネル２の屋根棟側が支持され、屋根軒先側の太陽電池パネル取付具１１の立上り部１５，２５で前記太陽電池パネル２の屋根軒先側が支持される構造でもよい。
この構造では、屋根傾斜方向において、棟側ならびに軒先側に配置された太陽電池パネル取付具１１,２１で太陽電池パネル２の両端部が支持されるから、部品点数を減少させることができるだけでなく、太陽電池パネル２を確実に屋根下地材３に取り付けることができる。
【００１３】
さらに、前記屋根棟側の太陽電池パネル取付具１１，２１の立上り部１５，２５と前記太陽電池パネル２との間には、前記太陽電池パネル２の抜け止めをするための抜け止め部材１２，２２が設けられた構造でもよい。
この構造では、抜け止め部材１２，２２によって、太陽電池パネル取付具１１，２１の立上り部１５，２５と前記太陽電池パネル２との間の隙間を閉塞するので、太陽電池パネル２の脱落を確実に防止することができる。
【００１４】
その上、前記抜け止め部材１２は、屋根傾斜方向に交差する方向に延びて配置される棒状部材としてもよい。
抜け止め部材１２を棒状部材とすれば、抜け止め部材１２の構造を簡易なものにできるだけでなく、棒状部材を太陽電池パネル取付具１１，２１の立上り部１５と太陽電池パネル２との間から抜くだけで、これらの間に太陽電池パネル２の移動スペースができるから、太陽電池パネル２の交換作業が容易に行える。
【００１５】
また、前記太陽電池パネル２は、少なくともいずれか一方が透光性を有する第一の基板６および第二の基板７と、これらの第一の基板６および第二の基板７の対向面のうちいずれか一方に設けられた薄膜太陽電池層８とを有する構造でもよい。
この構造では、第一の基板６および第二の基板７を重ねて太陽電池パネル２を構成したので、太陽電池パネル２の強度を向上できるようになる。
その上、薄膜太陽電池８を基板６，７に直接形成するので、太陽電池パネル２を簡単かつ低コストに形成できる。
【００１６】
【発明の実施の形態】
以下、本発明の実施形態を図面に基づいて説明する。ここで、各実施形態中、同一または同様の構成要素は同一符号を付して説明を省略もしくは簡略にする。
本発明の第１の実施形態が図１から図４に示されている。
第１の実施形態の屋根構造体１０が適用された建物の全体構成が示された図１において、屋根構造体１０は、切妻屋根１の傾斜面に上下左右に並べて配置された太陽電池パネル２と、これらの太陽電池パネル２を支持固定する太陽電池パネル取付具１１と、太陽電池パネル取付具１１と太陽電池パネル２との間に設けられた抜け止め部材１２と、左右に隣り合う太陽電池パネル２の間に嵌挿されるガスケット１３とを備えて構成されている。
【００１７】
太陽電池パネル取付具１１は、屋根１の傾斜方向に直交する方向に複数本（図１では５本）配置され太陽電池パネル２を複数個（図１では７個）同時に支持する長尺状部材である。
屋根１の軒先には、最下列の太陽電池パネル２の軒先側端部を支持するためのレール部材１４が太陽電池パネル取付具１１と平行に配置されている。
【００１８】
太陽電池パネル取付具１１の詳細な構造が図２に示されている。
図２において、屋根１は傾斜して設けられた屋根下地材３にルーフィング４が張られた構造であり、このルーフィング４の上に太陽電池パネル取付具１１が設けられている。
太陽電池パネル取付具１１は、屋根下地材３に図示しない釘などで取り付けられる立上り部１５と、この立上り部１５の屋根傾斜方向側に設けられ太陽電池パネル２をその棟側上面から屋根下地材３に向かって弾性付勢する遊端部１６とを備えた構造である。
【００１９】
これらの立上り部１５および遊端部１６は、ステンレス（ＳＵＳ）などの弾性を有する材料から一体形成され、足場として利用できる幅および強度を有する。立上り部１５はルーフィング４に当接する取付片１５Ａと、屋根棟側に配置された太陽電池パネル２の屋根軒先側端部（下端部）が当接する支持片１５Ｂとを有する断面略Ｌ字形に形成されている。すなわち、屋根軒先側の太陽電池パネル取付具１１の立上り部１５で太陽電池パネル２の屋根軒先側が支持される。
【００２０】
遊端部１６は、その先端がやや上方に向いて形成され、その先端部内側が太陽電池パネル２を遊端部１６と屋根下地材３との間に導くためのガイドとして機能する。
遊端部１６には、太陽電池パネル２の左右幅寸法に対応する位置、具体的には隣り合う太陽電池パネル２の中間位置に切り欠き１６Ａが屋根傾斜方向に沿って形成されている（図１参照）。
【００２１】
抜け止め部材１２は、屋根傾斜方向に直交する方向に延びて配置される棒状部材であり、その断面形状は図２では四角形である。なお、抜け止め部材１２の断面形状は四角形の他に、円形、楕円形、三角形などの種々の形状でよい。また、中実の形状の他に中空形状であってもよい。
抜け止め部材１２の長さは太陽電池パネル取付具１１の長さと同じでってもよく、あるいは、短くてもよい。
抜け止め部材１２の材質は、金属、木質、プラスチックなどの種々の材料を例示できる。ただし、防火対策上、金属が好ましい。
【００２２】
ガスケット１３の詳細な構造が図３に示されている。
図３において、ガスケット１３は、アルミの押出成形で形成された長尺部材であり、上辺部１３Ａと下端部１３Ｂとを有する断面略Ｔ形の形状である。
ガスケット１３の長手方向寸法は太陽電池パネル２の縦寸法（屋根傾斜方向寸法）よりやや短く、下端部１３Ｂの幅寸法Ｗは隣り合う太陽電池パネル２の間隔Ｄよりやや小さい。
上辺部１３Ａと太陽電池パネル２との間にはゴムやウレタンなどから構成される略円柱状のパッキン１７が介装されている。このパッキン１７は、ガスケット１３と太陽電池パネル２との間から水が流入することを阻止するためのものである。
【００２３】
図２において、太陽電池パネル２は、その下面にゴムからなる脚部５が設けられており、ルーフィング４との間にスペースが形成されている。このスペースには太陽電池パネル２に接続された配線２Ａが収納されている。
太陽電池パネル２の詳細な構造が図４に示されている。
図４において、太陽電池パネル２は、透光性を有する第一の基板６および第二の基板７と、第一の基板６の第二の基板７との対向面に設けられた薄膜太陽電池層８とを備えた板状部材である。なお、図４では太陽電池パネル２の構造をわかりやすくするため、その厚さ寸法を厚くしている。
【００２４】
第一の基板６および第二の基板７は、矩形かつ略同じ大きさの平面形状を有し、ガラスやアクリル樹脂等の透光性を有する材料により形成されている。
第一の基板６に設けられた薄膜太陽電池層８は、例えば、気相成長により第一の基板６に直接形成されたアモルファスＳｉおよび電極を含んで構成されている。
【００２５】
これらの第一の基板６および第二の基板７の間には透光性を有する合成樹脂充填材９が介装されている。
合成樹脂充填材９は、ＥＶＡ（Ethylene Vinylacetate）やＰＶＢ（Poly Vinylbutylol）等の透明な合成樹脂よりなる。第一の基板６と第二の基板７とは、この合成樹脂充填材９を接着層として互いに接合されている。
基板６，７同士の接着は、合成樹脂充填材９を挟み込んだ状態で熱および圧力を加えることにより行われる。
【００２６】
このように構成された第１の実施形態においては、ステンレスなどの弾性を有する材料から太陽電池パネル取付具１１を製造し、金属などから抜け止め部材１２を製造し、アルミからガスケット１３を製造する。
この太陽電池パネル取付具１１を屋根傾斜方向に直交する方向に複数列配置し、最も軒先側にレール部材１４を取り付ける。
【００２７】
その後、太陽電池パネル取付具１１の遊端部１６と屋根下地材３との間で太陽電池パネル２を挟持する。
そのため、太陽電池パネル２の一端部を遊端部１６と屋根下地材３との間に十分に差し込む。太陽電池パネル２の差し込み動作に伴って、遊端部１６が弾性力に抗して持ち上げられる（図２想像線参照）。さらに、この太陽電池パネル取付具１１より軒先側に隣接する太陽電池パネル取付具１１の立上り部１５に太陽電池パネル２の他端部を押しつける。
【００２８】
すると、棟側の太陽電池パネル取付具１１の立上り部１５と太陽電池パネル２の一端部との間に隙間が形成されるので、この隙間に抜け止め部材１２を差し込む。
これにより、太陽電池パネル２はボルトなどを使用することなく、屋根下地材３に取り付けられることになる。しかも、遊端部１６の弾性力によって太陽電池パネル２が屋根下地材側に向けて押圧されているので、太陽電池パネル２が太陽電池パネル取付具１１から外れることがない。
【００２９】
その後、この太陽電池パネル２の左右隣に別の太陽電池パネル２を前述と同様の手順で取り付ける。この場合、太陽電池パネル取付具１１に切り欠き１６Ａが形成されているため、新しい太陽電池パネル２を遊端部１６と屋根下地材３との間に差し込む動作に伴って、既に太陽電池パネル２を支持している遊端部１６が動くことがない。
左右に隣り合う太陽電池パネル２の間にガスケット１３を介装する。
太陽電池パネル２を屋根下地材３に取り付ける作業に際して、太陽電池パネル取付具１１は足場として利用される。
【００３０】
このような第１の実施形態によれば、以下のような効果がある。
すなわち、(1)屋根下地材３に取り付けられる立上り部１５と、この立上り部１５の屋根傾斜方向側に設けられ太陽電池パネル２を上面から屋根下地材３に向かって弾性付勢する遊端部１６とを有する太陽電池パネル取付具１１を一体形成したから、ボルトなどを用いることなく、容易に太陽電池パネル２を屋根下地材３に取り付けて屋根構造体１０を構成できる。
しかも、(2)これらの立上り部１５および遊端部１６が足場として利用できる幅および強度を有し、かつ、この太陽電池パネル取付具１１を屋根傾斜方向に直交する方向に延びて配置したから、太陽電池パネル取付具１１が足場として十分に機能し、作業員の転落事故を確実に防止できる。
【００３１】
また、(3)第１の実施形態では、太陽電池パネル取付具１１をステンレスから形成すれば、大きな強度を確保できるだけでなく、ステンレスが耐水性に優れているので、風雨にさらされても太陽電池パネル取付具１１が劣化することがない。
【００３２】
さらに、(4)太陽電池パネル取付具１１の立上り部１５および遊端部１６は、太陽電池パネル２を複数並べて取り付けられるように長尺状に形成され、かつ、遊端部１６の太陽電池パネル２の左右幅寸法に対応する位置に切り欠き１６Ａが形成されているから、１個の太陽電池パネル取付具１１で複数個の太陽電池パネル２を同時に支持固定できるだけでなく、遊端部１６の切り欠き１６Ａによって、１個の太陽電池パネル２を遊端部１６で支持した後、この太陽電池パネル２の隣に別の太陽電池パネル２を取り付ける場合でも、既に太陽電池パネル２を支持している遊端部１６が動くことがないので、太陽電池パネル２の取付作業を向上させることができる。
【００３３】
また、(5)太陽電池パネル取付具１１を屋根傾斜方向と直交する方向に沿って複数列配置し、屋根棟側の太陽電池パネル取付具１１の遊端部１６で太陽電池パネル２の屋根棟側を支持し、屋根軒先側の太陽電池パネル取付具１１の立上り部１５で太陽電池パネル２の屋根軒先側を支持したから、屋根傾斜方向の棟側ならびに軒先側で太陽電池パネル２の両端部を支持することになり、部品点数を減少させることができるとともに、太陽電池パネル２を確実に屋根下地材３に取り付けることができる。
【００３４】
さらに、(6)屋根棟側の太陽電池パネル取付具１１の立上り部１５と太陽電池パネル２との間に、太陽電池パネル２の抜け止めをするための抜け止め部材１２を設けたから、この抜け止め部材１２で太陽電池パネル取付具１１の立上り部１５と太陽電池パネル２との間の隙間を閉塞することにより、太陽電池パネル２の脱落を確実に防止することができる。
【００３５】
その上、(7)抜け止め部材１２を、屋根傾斜方向に直交する方向に延びて配置された棒状部材としたから、抜け止め部材１２の構造を簡易なものにできるだけでなく、棒状部材を太陽電池パネル取付具１１の立上り部１５と太陽電池パネル２との間から抜くだけで、これらの間に太陽電池パネル２の移動スペースができることになり、太陽電池パネル２の交換作業が容易に行える。
【００３６】
また、(8)第一の基板６および第二の基板７を重ねて太陽電池パネル２を構成したので、太陽電池パネル２の強度を向上できるようになり、従来のケースや縦枠および横枠が必要なくなり、太陽電池パネル２の構造を簡略化できるとともに製造コストを低減することができる。
また、(9)薄膜太陽電池層８を第一の基板６に直接形成するので、太陽電池パネル２を簡単かつ低コストに形成できる。
【００３７】
さらに、(10)第一の基板６および第二の基板７の間には透光性を有する合成樹脂充填材９が介装されているので、薄膜太陽電池層８への光の入射を妨げることなく第一の基板６および第二の基板７を簡単に接着できる。その上、基板６，７が割れても飛散することがなくなるため、隣家への延焼を防止できるようになり、太陽電池パネル２を配列するだけで防火性能が得られる。
【００３８】
さらに、(11)左右に隣り合う太陽電池パネル２にガスケット１３を嵌挿したから、太陽電池パネル２同士の間から水が屋根下地材３に入り込むことがない。従って、このガスケット１３により、防水処理を行うことができる。
しかも、(12)ガスケット１３と太陽電池パネル２との間にパッキン１７を介装したから、防水処理をより確実なものにできる。
【００３９】
また、(13)太陽電池パネル２の下面にゴムなどの弾性を有する脚部５を設けたから、作業員が太陽電池パネル２を踏んでも、太陽電池パネル２が破損することがない。
しかも、(14)脚部５によって、太陽電池パネル２とルーフィング４との間にスペースが形成されることになるから、このスペースを太陽電池パネル２に接続された配線２Ａの収納として利用することができる。しかも、このスペースが空気層を構成するため、断熱効果を有するとともに、水分滞留がなくなるという効果を奏することができる。
【００４０】
次に、本発明の第２の実施形態を図５に基づいて説明する。
第２の実施形態は太陽電池パネル取付具の構造が第１の実施形態と相違するもので、他の構成は第１の実施形態と同じである。
図５において、屋根構造体２０は、前記太陽電池パネル２と、これらの太陽電池パネル２を支持固定する太陽電池パネル取付具２１と、左右に隣り合う太陽電池パネル２の間に嵌挿されるガスケット１３（図１参照）とを備えて構成されている。
【００４１】
太陽電池パネル取付具２１は、屋根下地材３に図示しない釘などで取り付けられる立上り部２５と、この立上り部２５の屋根傾斜方向側に連続形成された前記遊端部１６と、これらの立上り部２５と遊端部１６との間に設けられ太陽電池パネル２の抜け止めを行う抜け止め部材２２とをステンレス（ＳＵＳ）などの弾性を有する材料から一体に形成した構造である。
【００４２】
立上り部２５はルーフィング４に当接する取付片１５Ａと、屋根棟側に配置された太陽電池パネル２の屋根軒先側端部（下端部）が当接する支持片２５Ｂとを有し、この支持片２５Ｂには段差が形成されている。
この構成の第２の実施形態では、第１の実施形態の(1)から(7)ならびに(8)から(14)の作用効果を奏する他に、抜け止め部材２２を立上り部２５および遊端部１６と一体に形成したから、部品点数を減少させることができる。
【００４３】
なお、本発明は前記各実施形態に限定されるものではなく、本発明の目的を達成できる他の構成等を含み、以下に示すような変形なども本発明に含まれる。
例えば、前記各実施形態では、第一の基板６および第二の基板７を重ねて太陽電池パネル２を構成したが、本発明の太陽電池パネルは前記各実施形態の構造に限定されるものではなく、太陽光を電気エネルギに変換できる構造のものは全て含まれる。
【００４４】
つまり、本発明の太陽電池パネルは、所定数のソーラーセルが収められた防水ケース周縁に縦枠および横枠を取り付けた太陽電池パネルであってもよい。
仮に、第一および第２の基板を備えて太陽電池パネルを構成する場合であっても、ルーフィング４側に配置される第二の基板７の材質は透光性を有するものでなくてもよく、例えば、金属や合成樹脂等により形成されていてもよい。要するに、受光する側の基板が透光性を備えていれば、光を直接受けない側の基板の材質は任意である。光を直接受けない側の基板の材質をガラス以外の適宜なものにすることにより、太陽電池パネルの強度を大きなものにできる。
さらに、基板６，７の大きさや厚さはとくには限定されず、例えば、第一の基板６と第二の基板７とで厚さが異なっていてもよい。しかし、第一の基板６および第二の基板７に同じものを用いれば、製造コストを低減できる。
【００４５】
また、本発明では、太陽電池パネル取付具１１,２１を必ずしも長尺状に形成することを要しない。例えば、１個の取付具で１個の太陽電池パネル２を支持する構造でもよい。この場合、遊端部１６の切り欠き１６Ａは不要である。
仮に、太陽電池パネル取付具１１，２１を長尺状に形成する場合でも、切り欠き１６Ａを設けることを要しない。さらに、この取付具１１，２１を屋根傾斜方向と交差するならば、必ずしも直交する方向であることを要しない。
【００４６】
さらに、抜け止め部材１２,２２を必ずしも設けることを要しない。
また、左右に隣り合う太陽電池パネル２に嵌挿するガスケット１３を省略してもよい。この場合、太陽電池パネル２同士を密閉させることが必要である。
さらに、太陽電池パネル２の脚部５を省略してもよい。
【００４７】
さらに、前記各実施形態では、太陽電池パネル２は屋根下地材３に張ったルーフィング４上に設置されていたが、屋根下地材３に直接取り付けてもよい。
そして、屋根構造体１０，２０を適用する屋根は、屋根ユニットであってもよく、垂木に固定される在来工法の屋根部であってもよく、本発明は、建物の屋根を構成する構造体であれば任意のものに適用できる。
さらに、屋根の形態は切妻屋根に限定されるものではなく、寄せ棟屋根などの種々のタイプの屋根に本発明を適用することができる。
【００４８】
【発明の効果】
以上に述べたように、本発明によれば、屋根下地材に取り付けられる立上り部と、この立上り部の屋根傾斜方向側に設けられ太陽電池パネルを上面から屋根下地材に向かって弾性付勢する遊端部とを有する太陽電池パネル取付具を一体形成し、これらの立上り部および遊端部が足場として利用できる幅および強度を有し、かつ、この太陽電池パネル取付具を屋根傾斜方向に交差する方向に延びて配置したから、太陽電池パネルを容易に屋根下地材に取り付けることができる。
【図面の簡単な説明】
【図１】本発明の第１の実施形態の屋根構造体が適用された建物の全体構成を示す斜視図である。
【図２】前記屋根構造体の詳細を示す縦断面図である。
【図３】左右に隣り合う太陽電池パネルの防水構造の要部を示す分解斜視図である。
【図４】太陽電池パネルの断面図である。
【図５】本発明の第２の実施形態の屋根構造体を示すもので、図２に相当する図である。
【符号の説明】
１        屋根
２        太陽電池パネル
３        屋根下地材
６        第一の基板
７        第二の基板
８        薄膜太陽電池層
10,20     屋根構造体
11,21     太陽電池パネル取付具
12,22     抜け止め部材
15,25     立上り部
１６      遊端部
１６Ａ    切り欠き
【図１】
0003685880.tif 000002
【図２】
0003685880.tif 000003
【図３】
0003685880.tif 000004
【図４】
0003685880.tif 000005
【図５】
0003685880.tif 000006